(57)【要約】【課題】貴金属カードを焼却する際の樹脂の未燃部分の残留を防ぎ、一度に大量の貴金属カードを焼却処理できるようにする。【解決手段】樹脂膜で被覆された貴金属製薄板からなる複数枚の貴金属カード１を串４によって串刺し状態にして相互に間隔をあけて保持し、これら貴金属カード１を串刺し状態とした串４の両端部を焼却炉２内の棚３の桟１７の上に載置し、その串４を複数本支持することにより一度に大量の貴金属カード１を焼却炉２内の燃焼空間に配置して燃焼させる。【選択図】図３
2010185623.tif 000002
【特許請求の範囲】
【請求項１】
樹脂膜で被覆された貴金属製薄板からなる貴金属カードを焼却処理する貴金属カードの処理装置であって、
焼却炉と、複数枚の貴金属カードを相互に間隔をおいて串刺し状態で保持する串と、この串の両端部を載置状態に支持して貴金属カードを前記焼却炉の燃焼室内に配置する棚とを備えることを特徴とする貴金属カードの処理装置。
【請求項２】
前記串は、ねじ棒であることを特徴とする請求項１に記載の貴金属カードの処理装置。
【請求項３】
前記焼却炉に、空気を前記燃焼室内に送るブロワが設けられていることを特徴とする請求項１又は２に記載の貴金属カードの処理装置。
【請求項４】
前記焼却炉の燃焼用バーナーは、焼却用バーナーと、前記燃焼室よりも上方でガスを燃焼するガス燃焼用バーナーとを備えることを特徴とする請求項４に記載の貴金属カードの処理装置。
【請求項５】
樹脂膜で被覆された貴金属製薄板からなる複数枚の貴金属カードを串刺し状態にして相互に間隔をあけて保持し、これら串刺し状態の貴金属カードを焼却炉内に支持して燃焼させることを特徴とする貴金属カードの処理方法。
【発明の詳細な説明】
【技術分野】
【０００１】
本発明は、金、銀等の貴金属製の薄板に樹脂膜が被覆された貴金属カードを焼却処理し、貴金属を回収するための貴金属カードの処理装置及び処理方法に関する。
【背景技術】
【０００２】
従来より、この種の貴金属カードは、例えば、プリペイドカードや名刺などの形態とされ、記念品や贈答品等の用途で広く利用されている。これらの貴金属カードが不要になった場合、外側の樹脂を燃焼させて内側の貴金属のみを回収することが一般的に行われている。このような処理装置として、例えば、特許文献１の複合廃棄物の処理装置が使用されることがある。
【０００３】
同文献１における複合廃棄物の処置装置は、ラミネートフィルム等を含む複合廃棄物を、回収用の金属と廃棄物である有機物の成分とに分離するようにした装置である。この処理装置では、複合廃棄物がそのまま炭化炉のホッパから炭化処理室に投入され、燃焼ガスにより加熱されて炭化物と分解ガスとに分解される。続いて、炭化物は、分離機に搬送されてこの分離機により金属とカーボンとに分離されるようになっている。このように、金属と廃棄物とを焼却処理する場合、通常は、これらが混合された状態、あるいは積み重ねられた状態で燃焼されるようになっている。
【先行技術文献】
【特許文献】
【０００４】
【特許文献１】特開２０００−１４０７９０号公報
【発明の概要】
【発明が解決しようとする課題】
【０００５】
しかしながら、貴金属カードを積み重ねた状態で燃焼すると、重ねた束の中央部での燃焼が十分に行われず、未燃部分として残る場合があった。そして、この未燃部分の樹脂が金属と絡まって、その後処理が困難になり、また、未燃部分の不完全燃焼によって大量のガスが発生する問題もあった。
このため、この種の処理装置により貴金属カードを処理する際には、一度に処理する貴金属カードの量を減らして、貴金属カード相互を離して重ならないようにする必要があり、その分、一度に大量の貴金属カードを処理することができず、効率が悪くなっていた。
【０００６】
本発明は、このような事情に鑑みてなされたもので、貴金属カードを焼却する際の樹脂の未燃部分の残留を防ぎ、一度に大量の貴金属カードを焼却処理できるようにした貴金属カードの処理装置及び処理方法を提供することを目的とする。
【課題を解決するための手段】
【０００７】
上記目的を達成するため、本発明の処理装置は、樹脂膜で被覆された貴金属製薄板からなる貴金属カードを焼却する焼却炉と、複数枚の貴金属カードを相互に間隔をおいて串刺し状態で保持する串と、この串の両端部を前記焼却炉内で載置状態に支持する棚とを備えることを特徴とする。
この処理装置は、串刺しした貴金属カードを焼却炉内の棚に載置状態に支持することにより、焼却炉内に、複数枚の貴金属カードを１枚ずつ両面に燃焼のための空間を確保した状態で収納することができ、一度に大量の貴金属カードを処理しても、各貴金属カードの樹脂膜を確実に燃焼させることができ、樹脂膜の未燃部分の発生を防止することができる。
【０００８】
本発明の処理装置において、前記串は、ねじ棒であるとよい。
この串に貴金属カードを串刺しすると、ねじ棒のねじ溝内に貴金属カードが配置されることにより、貴金属カードの間の間隔を容易に確保することができる。また、燃焼時に風や振動等により貴金属カードが揺れることがあっても、串刺し部分においてはねじ山の間に貴金属カードが保持され、貴金属カードの全体が移動して接触することは防止される。また、一般に用いられるねじ棒であるから、入手も容易である。
【０００９】
本発明の処理装置において、前記焼却炉に、空気を前記燃焼室内に送るブロワが設けられているとよい。
串刺し状態の貴金属カードの間に間隔があけられているので、その間にブロワからの空気が送られ、貴金属カードの表面に燃焼に十分な空気が送られるとともに、燃焼により生じたガスが貴金属カードの間に滞留することが抑制され、各貴金属カードを確実にかつ効率よく燃焼させることができる。
【００１０】
本発明の処理装置において、前記焼却炉の燃焼用バーナーは、前記燃焼室に向けられたバーナーと、前記燃焼室よりも上方でガスを燃焼するバーナーとを備えるとよい。
この処理装置では、燃焼室に向けた樹脂焼却用のバーナーにより樹脂膜を燃焼し、そのときに発生するガスをガス燃焼用バーナーにより燃焼できるため、ガスの発生を極力抑えながら貴金属カードを燃焼させることができる。
【００１１】
本発明の処理方法は、樹脂膜で被覆された貴金属製薄板からなる複数枚の貴金属カードを串刺し状態にして相互に間隔をあけて保持し、これら串刺し状態の貴金属カードを焼却炉内に支持して燃焼させることを特徴とする。
貴金属カードを串刺し状態で保持することにより、一度に大量の貴金属カードを整然と取り扱うことができ、焼却炉内に１枚ずつ両面に燃焼のための空間を確保した状態で収めることができ、各貴金属カードの樹脂膜を短時間で確実に燃焼させることができる。
【発明の効果】
【００１２】
本発明の貴金属カードの処理装置及び処理方法によれば、複数枚の貴金属カードを串刺し状態として、相互に間隔をあけた状態で保持して燃焼するようにしたから、一度に大量の貴金属カードを未燃部分を残留させることなく確実に燃焼させることができ、短時間で効率的に処理することができる。
【図面の簡単な説明】
【００１３】
【図１】本発明に係る貴金属カードの処理装置の実施形態を示しており、焼却炉の扉を開いた状態の正面図である。
【図２】図１の側面図である。
【図３】図１の焼却炉の内部を示す要部拡大斜視図である。
【図４】図１の処理装置に用いられる串に貴金属カードを串刺した状態を示す要部の断面図である。
【図５】本発明の処理装置に適用される貴金属カードの例を示すモデル図である。
【発明を実施するための形態】
【００１４】
以下、本発明に係る貴金属カードの処理装置及び処理方法の一実施形態を図面を参照しながら説明する。
この実施形態の処理装置は、図１及び図２に示すように、貴金属カード１を焼却する焼却炉２を有し、この焼却炉２の対向する内壁面に一組の棚３が設けられており、この棚３に、複数枚の貴金属カード１を串刺し状態とした串４が載置状態に配置されるようになっている。
【００１５】
焼却炉２は、その内部のほぼ下半分が焼却用燃焼空間５とされ、その上方が、焼却により発生したガスを燃焼するガス燃焼空間６とされている。そして、その焼却用燃焼空間５の手前を開閉する扉７が設けられ、焼却炉２の上部には、ガス燃焼空間６に連通する排気用煙突８が設けられている。また、焼却用燃焼空間５の下部にはロストル部１１が設けられており、焼却炉２の背部には、このロストル部１１の下方位置とロストル１１の上方位置とに向けてそれぞれ焼却用バーナー１２が設けられている。また、焼却炉２の上部には、ガス燃焼空間６に向けてガス燃焼用バーナー１３が設けられるとともに、送風用ブロワ１４が設けられている。この送風用ブロワ１４は、ガス燃焼空間６にその周囲のほぼ全体から空気を送り込むようになっているが、その一部の送風配管１５が下方に向けて分岐しており、焼却用燃焼空間５にも空気を送り込むことができるようになっている。
【００１６】
そして、棚３は、図１に示すように、焼却用燃焼空間５の両側に配置されており、焼却炉２の内壁面に密接するように立設されている。この棚３には、図３に示すように、支柱１６の長さ方向の途中位置に、焼却炉２の前後方向に沿う桟１７が上下に間隔をあけて複数設けられた構成とされている。これら桟１７は、断面略Ｌ字形状のアングル材から構成されており、それぞれ上面１７ａが水平面となるように固定され、その水平面１７ａが左右の棚３で同じ高さ位置で対になるように配置されている。
この桟１７には、複数枚の貴金属カード１を串刺し状態とした串４の両端部が載置される。この串４には、図４に示すようにねじ棒が用いられており、外周面にねじによる溝４ａが形成されている。
なお、図１に符号１８で示すものは、焼却箱であり、底面が、多数の孔を有する網状とされている。
【００１７】
次に、この処理装置を用いた貴金属カードの処理方法について説明する。
焼却処理される貴金属カード１は、図５に示すように、金、銀等の貴金属製薄板２１の両面が透明又は半透明な樹脂膜２２により被覆されたものであり、貴金属製薄板２１が例えば２０μｍ、樹脂膜２２が例えば１００μｍの厚さとされ、用途に応じて、名刺、プリペイドカード、はがき等の大きさに形成されている。
この貴金属カード１を前述の処理装置によって焼却処理する場合、名刺やプリペイドカード等の小型のカードの場合はそのままの大きさで処理され、はがきのように少し大きめのカードで重量が比較的小さいもの（例えば金箔製の薄板はがき）の場合は、焼却処理の際に丸まってしまう場合があるので、例えば二つに切断して処理される。銀製のはがきなど、比較的重量が大きい場合は、はがきのままの大きさで取り扱うことも可能である。また、この貴金属カード１を串刺しし易いように、適宜の箇所に、パンチング加工により、串４より若干小さい内径の貫通孔２３を開けておく。その貫通孔２３の位置は、長方形状の貴金属カード１の端部寄りの位置が好ましい。
【００１８】
そして、この貫通孔２３の部分から図４に示すように串４を通して、１本の串４に複数枚の貴金属カード１を相互に間隔をあけて串刺し状態に保持する。このとき、串４には、ねじ溝４ａが形成されているので、各貴金属カード１がねじの溝４ａ内に収まるようにして保持される。このようにして、１本の串４に複数枚の貴金属カード１を適宜の間隔をあけて串刺し状態に保持し、その串刺し状態のものを複数用意する。各貴金属カード１の間隔は、例えば５ｍｍ〜１ｃｍが好ましい。
【００１９】
そして、焼却炉２内の棚３の各桟１７の上面１７ａに、図３に示すように、貴金属カード１を串刺しにした串４の両端部を載置することにより、焼却炉２の焼却用燃焼空間５内に、多数の貴金属カード１を串４から吊り下げた状態に配置する。なお、貴金属カード１に貫通孔２３を開けたときの抜きカス２４は、焼却箱１８内に入れて、ロストル部１１の上に載置する。
【００２０】
次いで、焼却用バーナー１２、ガス燃焼用バーナー１３及び送風用ブロワ１４を運転状態とする。焼却用バーナー１２での加熱温度は、樹脂膜２２を燃焼できる温度（例えば５５０℃）に設定され、その温度では貴金属製薄板２１は溶融しない。この焼却用バーナー１２の熱により、貴金属カード１の表面の樹脂膜２２が燃焼され、そのとき、送風用ブロワ１４から空気が燃焼用空間５に送られることにより、各貴金属カード１の間に十分な空気が供給される。また、その風を受けて貴金属カード１が揺らされながら燃えることにより、表面の樹脂膜２２が確実に燃焼されるとともに、燃焼により生じたガスが貴金属カード１の間から抜けて上方のガス燃焼用空間６に排出される。そして、そのガスはガス燃焼用空間６において、さらにガス燃焼用バーナー１３の熱を受け、残存する可燃物や有害物質が燃焼した後、煙突８から排出される。
【００２１】
このようにして貴金属カード１が焼却処理されると、各貴金属カード１の表面を覆っていた樹脂膜２２は消失され、串４には、貴金属製薄板２１のみが串刺し状態で残される。この貴金属製薄板２１を保持した串４を焼却炉２から取り出した後、串４から抜き取れば、貴金属製薄板２１のみを回収することができる。
なお、ロストル部１１に載置しておいた焼却箱１８内の抜きカス２４も樹脂が焼失して貴金属分のみが残される。
【００２２】
以上、この処理装置によれば、貴金属カード１を串刺しすることにより相互に間隔をあけて保持し、その串刺し状態で焼却炉２内に収容して燃焼するようにしたから、各貴金属カード１が燃焼中に接触して絡み合ってしまうことが防止されるとともに、貴金属カード１の間に十分な空気を供給しながら燃焼することができ、一度に大量の貴金属カードを処理しても、各貴金属カード１の樹脂膜２２を確実に燃焼させることができる。
【００２３】
なお、本発明は上記実施形態に限定されるものではなく、本発明の趣旨を逸脱しない範囲において種々の変更を加えることが可能である。
たとえば、串としてねじ棒を用いたが、ストレートの棒材に、貴金属カードを配置するための溝を適宜間隔で設けた構成としてもよく、また、溝がなくても串の表面状態を粗面にしておくことにより、貴金属カードを串刺し状態に保持することが可能であり、そのような串の表面を粗面にしたもの、あるいは、点状の凸部を適宜間隔で複数形成したもの等としてもよい。また、貴金属カードに貫通孔をあけるようにしたが、串の先端を鋭利な針状にしておけば、貫通孔を設けなくともよい。
その他、焼却炉のバーナーの配置やブロワの配置等は一例であり、実施形態の例に限るものではない。
【符号の説明】
【００２４】
１  貴金属カード
２  焼却炉
３  棚
４  串
４ａ  溝
５  焼却用燃焼空間
６  ガス燃焼空間
７  扉
８  煙突
１１  ロストル部
１２  焼却用バーナー
１３  ガス燃焼用バーナー
１４  送風用ブロワ
１５  送風配管
１６  支柱
１７  桟
１７ａ  上面（水平面）
１８  焼却箱
２１  貴金属製薄板
２２  樹脂膜
２３  貫通孔
２４  抜きカス
【図１】
2010185623.tif 000003
【図２】
2010185623.tif 000004
【図３】
2010185623.tif 000005
【図４】
2010185623.tif 000006
【図５】
2010185623.tif 000007